(57)【要約】電気泳動ディスプレイユニット（１）は、画像情報の処理（Ｄｅｌ）中にデータ非依存性信号（Ｓｈ１、Ｓｈ２、Ｓｈ４、Ｓｈ５）の少なくとも幾つかを生成し、供給することによってより短い全画像更新時間を得ることができる。その処理はデータ依存性信号（Ｒ、Ｄｒ）を演算するためになされる。データ非依存性信号（Ｓｈ１、Ｓｈ２、Ｓｈ３、Ｓｈ４、Ｓｈ５）はこの処理に依存せず、それ故、それらの信号はその処理中に供給されることが可能である。全画像更新時間は、画像処理（Ｄｅｌ）のために必要な時間と画素（１１）にデータ依存性信号（Ｒ、Ｄｒ）を供給するために必要な続く時間との合計により構成される。
2006526802.tif 000002
【特許請求の範囲】
【請求項１】
画素；及び
画像情報を受けるため且つ前記画素により表示される画像を更新するための駆動回路構成；
を有する電気泳動ディスプレイユニットであって、前記駆動回路構成は：
データ非依存性信号を生成するため且つ前記画素に前記データ非依存性信号を供給するための手段；
画像情報を処理するための手段；及び
処理された画像情報に基づいてデータ依存性信号を生成するため且つ更新画像を表示するための前記画素に前記データ依存性信号を供給するための手段であって、前記データ非依存性信号の少なくとも一部は、前記画像情報が完全に処理されてしまう前に生成され且つ前記画素に供給される、手段；
を有する、ことを特徴とする電気泳動ディスプレイユニット。
【請求項２】
請求項１に記載の電気泳動ディスプレイユニットであって、前記データ非依存性信号はシェーキングパルスを有し、前記データ依存性信号はリセットパルスと駆動パルスとを有する、ことを特徴とする電気泳動ディスプレイユニット。
【請求項３】
請求項２に記載の電気泳動ディスプレイユニットであって、前記シェーキングパルスは、前記画像情報の実質的に到達直後に生成される、ことを特徴とする電気泳動ディスプレイユニット。
【請求項４】
請求項２に記載の電気泳動ディスプレイユニットであって、前記シェーキングパルスの第１部分は前記画像情報の実質的に到達直後に生成され、前記シェーキングパルスの第２部分は、前記リセットパルスの後且つ前記駆動パルスが生成される前に生成される、ことを特徴とする電気泳動ディスプレイユニット。
【請求項５】
請求項２に記載の電気泳動ディスプレイユニットであって、前記シェーキングパルスは前記リセットパルスの実質的に直前に生成される、ことを特徴とする電気泳動ディスプレイユニット。
【請求項６】
請求項２に記載の電気泳動ディスプレイユニットであって、前記シェーキングパルスは、前記画像情報が処理される実質的に時間間隔中に生成される、ことを特徴とする電気泳動ディスプレイユニット。
【請求項７】
請求項１に記載の電気泳動ディスプレイユニットと表示される画像を記憶するための記憶媒体とを有することを特徴とする表示装置。
【請求項８】
画素を有する電気泳動ディスプレイユニットにより表示される画像を更新するための方法であって、それにより画像情報がその更新のために処理される、方法であり：
データ非依存性信号を生成し且つデータ非依存性信号を前記画素に供給する段階；及び
前記画像情報の処理に応じて、データ依存性信号を生成し且つ更新画像を表示するための前記画素に前記データ依存性信号を供給する段階；
を有する方法であり、
前記データ非依存性信号の少なくとも一部は、前記画像情報が完全に処理されてしまう前に生成され且つ前記画素に供給される；
ことを特徴とする方法。
【請求項９】
画素を有する電気泳動ディスプレイユニットにより表示される画像を更新するためのプロセッサプログラムであって、画像情報がその更新のために処理される、プロセッサプログラムであり：
データ非依存性信号を生成し且つデータ前記非依存性信号を前記画素に供給する機能；及び
前記画像情報の処理に応じて、データ依存性信号を生成し且つ更新画像を表示するための前記画素に前記データ依存性信号を供給する機能；
を有するプロセッサプログラムであり、
前記データ非依存性信号の少なくとも一部は、前記画像情報が完全に処理されてしまう前に生成され且つ前記画素に供給される；
ことを特徴とするプロセッサプログラム。
【請求項１０】
画像情報を受け且つ電気泳動ディスプレイユニットの画素により表示される画像を更新するための駆動回路構成であって：
データ非依存性信号を生成し且つ前記データ非依存性信号を前記画素に供給するための手段；
画像情報を処理するための手段；及び
処理された画像情報に基づいてデータ依存性信号を生成し且つ更新画像を表示するための前記画素に前記データ依存性信号を供給するための手段であって、前記データ非依存性信号の少なくとも一部は、前記画像情報が完全に処理されてしまう前に生成され且つ前記画素に供給される、手段；
を有する、ことを特徴とする駆動回路構成。
【発明の詳細な説明】
【技術分野】
【０００１】
本発明は、電気泳動ユニット、電気泳動ユニットを有する表示装置、電気泳動ユニットにより表示される画像を更新するための方法、電気泳動ユニットにより表示される画像を更新するためのプロセッサプログラムプロダクト及び駆動回路構成に関する。
【０００２】
この種類の表示装置は、例えば、モニタ、ラップトップコンピュータ、携帯情報端末（ＰＤＡ）、携帯電話、電子ブック、電子新聞、電子雑誌等において使用される。
【背景技術】
【０００３】
従来技術の表示装置については、特許文献、国際公開第９９／５３３７３号パンフレットに記載されている。この特許の出願においては、２つの基板を有する電子インクディスプレイであって、それらの基板の一は透明であり、共通電極（又、対向電極として知られている）を有し、他の基板は行列状に配列された画素電極を備えている、電子インクディスプレイについて開示されている。画素は共通電極と画素電極との間の部分において形成されている。画素電極はトランジスタのドレインに結合され、そのトランジスタのソースは列電極に結合され、そのトランジスタのドレインは行電極に結合されている。このような、画素、トランジスタ、行及び列電極の構成はアクティブマトリクスを協働して構成する。行ドライバ（選択ドライバ）は画素の行を選択し、列ドライバ（データドライバ）は列電極とトランジスタとによりそれらの選択された画素の行にデータ信号を供給する。データ信号は表示されるデータに対応している。
【０００４】
更に、電子インクは、画素電極と透明基板において備えられている共通電極との間に備えられている。電子インクは、約１０乃至５０μｍの複数のマイクロカプセルを有する。各々のマイクロカプセルは、流体中に懸濁された正に帯電した白色粒子及び負に帯電した黒色粒子を有する。正電界が画素電極に印加されるとき、白色粒子は透明基板の方に方向付けられたマイクロカプセルの側に移動し、画素はビューアに対して視認可能になる。同時に、黒色粒子は、それらがビューアに対して隠されているマイクロカプセルの反対側の画素電極に移動する。画素電極に負電界を印加することにより、黒色粒子は、透明基板の方に方向付けられたマイクロカプセルの側の共通電極に移動し、画素はビューアには暗く見える。同時に、白色粒子は、それらがビューアに対して隠されているマイクロカプセルの反対側の画素電極に移動する。電界が取り除かれるとき、表示装置はもたらされた状態のまま維持され、双安定特性を示す。
【０００５】
画素の履歴に関する電気泳動ディスプレイユニットの光学的応答依存性を低減させるために、プリセット信号（データ非依存性信号を有する）が、駆動信号（データ依存性信号を有する）が印加され前に印加される。それらのプリセット信号は、２つの電極の一において静止状態から電気泳動粒子を開放するに十分であるが、粒子が電極の他の一に到達するようにするには小さ過ぎるエネルギーを表すパルスを有する。その依存性の低減のために、同等のデータに対する光学的応答は、画素の履歴に拘らず、実質的に等しい。基本的メカニズムについては、表示装置が所定状態、例えば、黒色状態にスイッチングされた後、電気泳動粒子は静止状態になるということにより説明することができる。続く白色状態へのスイッチングがなされるとき、粒子の運動量は、それらの初速が略０であるために、小さい。この結果、前状態に対する大きい依存性がもたらされ、この大きい依存性を克服するために長いスイッチング時間を必要とする。プリセット信号の適用は電気泳動粒子の運動量を増加させ、それ故、その依存性を低減させる（そして、より短いスイッチング時間を可能にする）。
【０００６】
電気泳動ディスプレイユニットにより表示される画像を更新するために、全画像更新時間は画像処理のために必要な時間と、（行ドライバにより行を選択し且つ列ドライバにより画素にデータ非依存性信号を供給することにより）同時に行における全部の画素に行毎にデータ非依存性信号を供給するために必要な次の時間と、（行ドライバにより行を選択し且つその行における画素に列ドライバによりデータ依存性信号を供給することにより）行毎に行における画素にデータ依存性信号を供給するために必要な次の時間との和により構成される。
【０００７】
既知の電気泳動ディスプレイユニットは、特に、全画像更新時間が比較的長いということのために、不利である。
【発明の開示】
【発明が解決しようとする課題】
【０００８】
本発明の目的は、特に、比較的短い全画像更新時間を有する電気泳動ディスプレイユニットを提供することである。本発明は、独立請求項により規定される。従属請求項は有利な実施形態を規定する。
【課題を解決するための手段】
【０００９】
本発明に従った電気泳動ディスプレイユニットは：
画素と；
画像情報を受けるため且つ画素により表示される画像を更新するための駆動回路構成であって、
−  データ非依存性信号（Ｓｈ１、Ｓｈ２、Ｓｈ３、Ｓｈ４、Ｓｈ５）を生成し、画素（１１）にそれらのデータ非依存性信号（Ｓｈ１、Ｓｈ２、Ｓｈ３、Ｓｈ４、Ｓｈ５）を供給するための手段と、
−  画像情報を処理する（２０）ための手段と、処理された画像情報に基づいてデータ依存性信号（Ｒ、Ｄｒ）を生成し、更新されたデータを表示するための画素（１１）にデータ依存性信号（Ｒ、Ｄｒ）を供給するための手段と、
を有する、駆動回路構成と；
を有する電気泳動ディスプレイユニットであり、データ非依存性信号（Ｓｈ１、Ｓｈ２、Ｓｈ３、Ｓｈ４、Ｓｈ５）の少なくとも一部は、画像情報が完全に処理されてしまう前に生成され、画素（１１）に供給される。
【００１０】
画像情報が完全に処理されてしまう前にデータ非依存性信号を生成し、それらのデータ非依存性信号を画素の少なくとも一部に供給することにより、換言すれば、画像情報の処理中に既にデータ非依存性信号を生成し、それらのデータ非依存性信号を画素の少なくとも一部に供給することにより、時間が節約され、全画像更新時間を削減することができる。画像情報の処理中に既にデータ非依存性信号を生成し、それらのデータ非依存性信号を画素の少なくとも一部に供給することが可能であることは、このような画像情報の処理がデータ依存性信号を演算するためにのみなされるということの認識に基づいている。データ非依存性信号は表示されるべきデータに依存せず、それ故、予め生成され、供給されることができる。その結果、全画像更新時間は、ここでは、例えば、画像処理のために必要な時間と、画素にデータ依存性信号を供給するために必要な次の時間との和により構成される。行毎に、行における全ての画素へのデータ非依存性信号の供給は、ここでは、画像処理と少なくとも一部が同時に実行される。
【００１１】
（新しい）画像情報の到達が検出され、それに応じて、画像更新コマンドが生成される。準備ができている画像情報の処理が検出され、それに応じて、画像処理レディコマンドが生成される。それらの２つの簡単なコマンドが、画像情報が処理される時間間隔の開始時点と終了時点とを規定するために用いられる。このような画像情報の処理は、（新しい）画像情報のローディングと、現画像と新しい画像の比較と、温度センサとの双方向的対話と、駆動波形などのルックアップテーブルを有するメモリへのアクセスとを有することが可能である。
【００１２】
本発明に従った電気泳動ディスプレイユニットの実施形態について、請求項２に記載されている。シェーキング（ｓｈａｋｉｎｇ）パルスは、例えば、上記のプリセットパルスに対応する。駆動パルスは、所望の光学的状態に粒子を移行させる。リセットパルスは、この実施形態におけるデータ依存性信号の一部を構成する。それらのリセットパルスは、駆動パルスに対してフレキシブルな開始点を規定することにより電気泳動ディスプレイユニットの光学的応答を更に改善するために駆動パルスに先行する。この開始点は、黒色又は白色であることが可能であり、続く駆動パルスの最も近い階調値に依存して選択される。代替として、リセットパルスはデータ非依存性信号の一部を構成することが可能であり、それ故、駆動パルスに対する固定された開始点（固定された黒色又は固定された白色）を規定することにより、電気泳動ディスプレイユニットの光学的応答を更に改善するために駆動パルスに先行する。特定の実施形態においては、リセットパルスはゼロレングスであることが可能である。
【００１３】
本発明に従った電気泳動ディスプレイユニットの実施形態について、請求項３に記載されている。この単一のシェーキング（シェーキングパルスは、実質的に画像情報の到達直後に生成される）は、例えば、この単一のシェーキングをトリガするための画像更新コマンドを用いることにより最も容易に実行されることができる。しかしながら、シェーキングパルスの終了点と画像処理レディコマンド（リセットパルスの開始）との間のパルスは画像品質の小さい劣化に繋がり得る。
【００１４】
本発明に従った電気泳動ディスプレイユニットの実施形態について、請求項４に記載されている。この実施形態においては、二重シェーキングが適用され、シェーキングパルスの第１部分は実質的に画像情報の到達直後に生成され、シェーキングパルスの第２部分はリセットパルスの後及び駆動パルスが生成される前に生成される。単一のシェーキングと比較して、この二重シェーキングは、シェーキングパルスの第２部分を導入することにより、シェーキングパルスの第１部分の終了点とリセットパルスの開始点との間の休止に対してシェーキング補償をもたらす。
【００１５】
本発明に従った電気泳動ディスプレイユニットの実施形態について、請求項５に記載されている。実質的にリセットパルスの直前にシェーキングパルスが生成されるこの単一シェーキングは、例えば、所定のカウンタ値において単一のシェーキングをトリガするためにカウンタを開始するための画像更新コマンドを用いることにより実行されることができる。それ故、シェーキングパルスの終了点とリセットパルスの開始点との間には、もはや、何れの休止も存在しない。
【００１６】
本発明に従った電気泳動ディスプレイユニットの実施形態について、請求項６に記載されている。実質的に画像情報が処理される時間間隔中にシェーキングパルスを生成することにより、もはや、休止は又、存在しない。更に、最大時間間隔中のシェーキングは最大画像品質に繋がる。この実施形態に従って、２つのオプションがもたらされ、第１のオプションは、例えば、前と同じエネルギー（同じ幅及び同じ高さ又は振幅）を有する各々のパルスを用いる、全体の時間間隔中の（上記の実施形態に比較して）非常に多くのシェーキングパルスの生成であり、第２のオプションは、前より大きいエネルギーを有する（幅の増加を有することにより）各々のパルスを用いる、全体の時間間隔中の（上記の実施形態に比較して）同じか又はより少ない数のシェーキングパルスの生成である。
【００１７】
本発明に従ったディスプレイ装置、本発明に従った方法及び本発明に従ったプロセッサプログラムプロダクトの実施形態は、本発明に従った電気泳動ディスプレイユニットの実子形態に対応している。
【００１８】
本発明は、特に、データ依存性信号を演算するためにのみ、画像情報の処理がなされるという洞察に基づき、そして、特に、データ非依存性信号は表示されるデータに依存せず、それ故、画像情報の処理中に予め生成及び供給されることができるという洞察に基づいている。
【００１９】
本発明は、特に、比較的短い画像更新時間を用いる電気泳動ディスプレイユニットを提供することについての問題点を解決し、特に、画像品質が維持され、より短い全画像更新時間において画像品質が更に向上される（用いられる波形に依存して）ことを有利点とする。
【００２０】
本発明の上記の及び他の特徴について、以下、詳述する実施形態を参照することにより明らかになり、理解されることであろう。
【発明を実施するための最良の形態】
【００２１】
図１に示す電気泳動ディスプレイユニットの画素１１は、ベース基板２と、２つの透明基板３、４間にある電子インクであって、例えば、ポリエチレンを有する電気泳動薄膜を有する電気泳動膜（ベース基板上に積層された）とを有する。それらの基板の一３は透明な画素電極５を備え、他の基板４は透明な共通電極６を備えている。電子インクは、約１０乃至５０μｍの複数のマイクロカプセルを有する。各々のマイクロカプセル７は、流体１０中に懸濁された正に帯電した白色粒子８及び負に帯電した黒色粒子９を有する。正電界が画素電極５に印加されるとき、白色粒子８は共通電極の方に方向付けられたマイクロカプセル７の側に移動し、画素要素はビューアに対して可視的になる。同時に、黒色粒子９は、ビューアに対して隠されているマイクロカプセル７の反対側に移動する。画素電極５に負電界を印加することにより、黒色粒子９は、対向電極６の方に方向付けられたマイクロカプセル７の側に移動し、画素はビューアに対して暗く現れる（図示せず）。電界が取り除かれるとき、粒子８、９はもたらされた状態のまま維持され、ディスプレイは双安定特性を示し、実質的に電力を消費しない。
【００２２】
図２に示されている電気泳動ディスプレイユニット１は、行又は選択電極４１、４２、４３と、列又はデータ電極３１、３２、３３との交差部分の領域に画素のマトリクスを有する。それらの画素１１は全て、共通電極６に結合され、各々の画素１１はそれ自体の画素電極５に結合されている。電気泳動ディスプレイユニット１は、行電極４１、４２、４３に結合された行ドライバ４０（選択ドライバ）と、列電極３１、３２、３３に結合された列ドライバ３０（データドライバ）とを更に有し、画素１１毎にアクティブスイッチング要素１２を有する。電気泳動ディスプレイユニット１はそれらのアクティブスイッチング要素１２（この例においては（薄膜）トランジスタ）により駆動される。行ドライバ４０は、行電極４１、４２、４３を連続的に選択する一方、列ドライバ３０は、列電極３１、３２、３３にデータ信号を供給する。好適には、制御器２０は、先ず、入力２１により到達するデータ信号を処理し、データ信号を生成する。列ドライバ３０と魚ウドライバ４０の間の相互同期化が、駆動ライン２３及び２４により行われる。行ドライバ４０からの選択信号は、ドレイン電極が画素電極５に電気的に結合され、ゲート電極が行電極４１、４２、４３に電気的に結合され、ソース電極が列電極３１、３２、３３に電気的に結合されたトランジスタ１２によりそれぞれの行の画素電極５を連続して選択する。列電極３１、３２、３３に存在するデータ信号は、行が選択されたとき、トランジスタ１２のドレイン電極に結合された画素１１の行の画素電極５に転送される。トランジスタに代えて、例えば、ダイオード、ＭＩＭ等の他のスイッチング要素を用いることが可能である。プロセッサ２０、列ドライバ３０及び行ドライバ４０は共に、駆動回路構成２０、３０、４０を構成する。この駆動回路構成は１つ又はそれ以上の集積回路により構成されることが可能であり、それらの集積回路は電子ユニットとして他の構成要素と結合されることが可能である。
【００２３】
入力２１により到達する入力データ（画像情報）は制御器２０により処理される。更に、制御器２０は、（新しい）画像情報の到達を検出し、それに応じて、到達した画像情報の処理を開始するために、画像更新コマンドを生成する。このような画像情報の処理は、（新しい）画像情報のローディング、現画像（制御器２０のメモリに記憶されている）と新しい画像（新しい画像情報により規定され、又、メモリに記憶されるべき）との比較、温度センサとの双方向対話、駆動波形のルックアップテーブルを有するメモリへのアクセス等を有する。制御器２０は、次いで、準備された画像情報のこの処理を検出し、それに応じて、画像処理レディコマンドを生成する。それらの２つの簡単なコマンドは、それ故、画像情報が処理される時間間隔の開始点と終了点を規定するために用いられる。
【００２４】
次いで、制御器２０は、駆動ライン２３により列ドライバ３０に供給される（記録される（ｃｌｏｃｋｅｄ  ｉｎｔｏ））べきデータ信号を生成し、駆動ライン２４により行ドライバに供給されるべき選択信号を生成する。それらのデータ信号は、データ非依存性信号（全ての画素１１に対して同じである）とデータ依存性信号（画素毎に異なることが可能であり又は可能でない）とを有する。データ非依存性信号は、リセットパルスと駆動パルスとを有するデータ依存性信号と共に、シェーキングパルス（又は、プリセットパルス）を有する。それらのシェーキングパルスは、２つの電極５、６の一における静止状態から電気泳動粒子を開放するには十分であるが、粒子８、９が電極５、６の他の一に到達するようにするには小さ過ぎるエネルギーを表すパルスを有する。依存性の低減のために、同等のデータに対する光学的応答は、画素の履歴に拘らず、実質的に等しい。それ故、シェーキングパルスは、画素の履歴に関する電気泳動ディスプレイユニットの光学的応答の依存性を低減させる。駆動パルスは所望の光学的状態に粒子を移行させる。リセットパルスはデータ依存性信号の一部を構成し、駆動パルスに対して、フレキシブルな開始点（続く駆動パルスにより規定される階調値に最も近い及びそれに依存して選択される、黒色又は白色）を規定することにより、電気泳動ディスプレイユニットの光学的応答を更に改善するために駆動パルスに先行する。代替として、リセットパルスは、データ非依存性信号の一部を構成することが可能であり、それ故、駆動パルスに対して、固定の開始点（固定の黒色又は固定の白色）を規定することにより、電気泳動ディスプレイユニットの光学的応答を更に改善するために駆動パルスに先行する。特定の実施形態においては、リセットパルスはゼロレングスである。
【００２５】
画素１１にデータ非依存性信号又はデータ依存性信号を供給するために、列ドライバ３０は、行における全ての画素１１が同時にデータ非依存性信号又はデータ依存性信号を受けるように、制御器２０により制御される。これは、行が次々に選択される（選択された行における全てのトランジスタは導通状態になる）ような方式で、行ドライバ４０を制御する制御器２０を用いて、行毎に実行される。
【００２６】
電気泳動ディスプレイユニット１により表示される画像を更新するために、全画像更新時間は、画像処理のために必要な時間と、画素１１にデータ依存性信号及びデータ非依存性信号を供給するために必要な続く時間との合計により構成される。このような従来技術の画像更新時間は比較的長い。
【００２７】
本発明に従って、画像情報が完全に処理されてしまう前に、画素１１にデータ非依存性信号の少なくとも一部を生成し、供給することにより、換言すれば、画像情報の処理中に、画素１１にデータ非依存性信号の少なくとも一部を既に生成し、供給したことにより、時間を節約でき、全画像更新時間を削減することができる。画像情報の処理中に、データ非依存性信号を画素１１の少なくとも一部に既に生成し、供給されたことが可能であることは、このような画像情報の処理がデータ依存性信号を演算するためにのみなされるということの認識に基づいている。データ非依存性信号は表示されるべきデータに依存せず、それ故、予め生成され、供給されることができる。
【００２８】
図３は、第１の従来技術の波形（上方グラフ）と本発明に従った第１波形（下方グラフ）とを示している。上方グラフにおいては、Ｄｅｌは画像情報の処理のために必要な時間間隔に一致し、Ｓｈ０は従来技術のシェーキングパルスに一致し、Ｒはリセットパルスに一致し、そしてＤｒは駆動パルスに一致する。時間間隔Ｄｅｌは、画像情報の到達の検出から開始され、それに応じて、画像更新コマンドが生成され、完全に処理された画像情報の検出により終了し、それに応じて、画像処理レディコマンドを生成し、時間間隔Ｄｅｌはそれらの２つのコマンド間に置かれている。下方グラフにおいては、Ｓｈ１は、時間間隔Ｄｅｌ中に供給される本発明に従ったシェーキングパルスと一致し、Ｒはリセットパルスと一致し、そしてＤｒは駆動パルスと一致する。明らかに、全画像更新時間は、時間間隔Ｄｅｌの第１部分の間の画像情報の到達の実質的に直後にそして画像情報の処理が完了する前に供給することにより、削減された。この種類のシェーキングは単一シェーキングと呼ばれ、このような単一シェーキングをトリガするために用いられる画像更新コマンドにより最も容易に実行されることができる。シェーキングパルスの終了と画像処理レディコマンド（リセットパルスの開始）との間の休止は、しかしながら、画像品質における小さい劣化をもたらし得る。
【００２９】
図４は、第２の従来技術の波形（上方グラフ）と本発明に従った第２波形（下方グラフ）とを示している。上方グラフにおいては、Ｄｅｌは画像情報の処理のために必要な時間間隔に一致し、Ｓｈ０−１は第１の従来技術のシェーキングパルスに一致し、Ｒはリセットパルスに一致し、Ｓｈ０−２は第２の従来技術のシェーキングパルスに一致し、そしてＤｒは駆動パルスに一致する。下方グラフにおいては、Ｓｈ２は時間間隔Ｄｅｌ中に供給される、本発明に従った第１シェーキングパルスに一致し、Ｄｒは駆動パルスに一致する。明らかに、全画像更新時間は、画像情報の到達の実質的に直後の時間間隔Ｄｅｌの第１部分の間にシェーキングパルスＳｈ２の少なくとも一部を供給することにより削減される一方、シェーキングパルスＳｈ３の残りがリセットパルスＲと駆動パルスＤｒとの間に供給される。この種類のシェーキングは、図４に示しているように、二重シェーキングと呼ばれ、図３に示している単一シェーキングと対照して、第２シェーキングパルスＳｈ３を導入することにより、図３に示すリセットパルスＲの開始とシェーキングパルスＳｈ１の終了（換言すれば、図４に示すリセットパルスＲの開始と第１シェーキングパルスＳｈ２の終了）との間の休止に対するシェーキング補償を与える。
【００３０】
図５は、第１の従来技術の波形（上方グラフ）と本発明に従った第３波形（下方グラフ）とを示している。上方グラフにおいては、Ｄｅｌは画像情報の処理のために必要な時間間隔に一致し、Ｓｈ０は従来技術のシェーキングパルスに一致し、Ｒはリセットパルスに一致し、そしてＤｒは駆動パルスに一致する。下方グラフにおいては、Ｓｈ４は、時間間隔Ｄｅｌ中に供給される本発明に従ったシェーキングパルスと一致し、Ｒはリセットパルスと一致し、そしてＤｒは駆動パルスと一致する。明らかに、全画像更新時間は、リセットパルスＲの実質的に直前と、画像情報の処理が完了してしまう前の時間間隔Ｄｅｌの第２部分の間とにおいて、シェーキングパルスＳｈ４を供給することにより削減される。この種類の単一シェーキングは、例えば、所定のカウンタ値においてシェーキングをトリガするためにカウンタをシェーキングするための画像更新コマンドを用いることにより実行されることができる。それ故、シェーキングパルスＳｈ４の終了とリセットパルスＲの開始との間には、もはや何れの休止も存在しない。
【００３１】
図６は、第１の従来技術の波形（上方グラフ）と本発明に従った第４波形（下方グラフ）とを示している。上方グラフにおいては、Ｄｅｌは画像情報の処理のために必要な時間間隔に一致し、Ｓｈ０は従来技術のシェーキングパルスに一致し、Ｒはリセットパルスに一致し、そしてＤｒは駆動パルスに一致する。下方グラフにおいては、Ｓｈ５は、全体の時間間隔Ｄｅｌ中に供給される本発明に従ったシェーキングパルスと一致し、Ｒはリセットパルスと一致し、そしてＤｒは駆動パルスと一致する。明らかに、全画像更新時間は、画像情報が処理される実質的に時間間隔Ｄｅｌ中にシェーキングパルスを供給することにより削減される。全体の時間間隔Ｄｅｌ中にシェーキングパルスＳｈ５を生成し、供給することにより、又、上記の休止はもはや存在しない。これに従って、２つのオプションがもたらされ、第１には、第１のオプションは、例えば、前と同じエネルギー（同じ幅及び同じ高さ又は振幅）を有する各々のパルスを用いる、全体の時間間隔Ｄｅｌ中の（図３、４、５に比較して）非常に多くのシェーキングパルスの生成であり、第２には、ここで前より大きいエネルギーを有する（幅の増加を有することにより）各々のパルスを用いる、全体の時間間隔Ｄｅｌ中の（図３、４、５に比較して）同じか又はより少ない数のシェーキングパルスの生成である。
【００３２】
ここで示した本発明に従った実施形態においては、時間間隔Ｄｅｌ中にデータ非依存性（シェーキング）信号は、本発明に従って、残りのデータ依存性信号と同じ振幅を与えられる。これは、簡単な駆動エレクトロニクスを有する表示装置において必要である一方、他の実施形態においては、データ非依存性信号の振幅はデータ依存性信号の振幅と異なることが可能である。
【００３３】
更に、リセットパルスＲがデータ非依存性信号であるように選択される場合、そのリセットパルスＲは、時間間隔Ｄｅｌ中、シェーキングパルスと共に供給されることが可能である。
【００３４】
請求項５に記載されている表示装置は電子ブックであることが可能である。情報を記憶する媒体は、メモリスチック、集積回路、メモリ又は、例えば、表示ユニットにおいて表示されるブックのコンテンツを記憶するための他の記憶装置であることが可能である。
【００３５】
上記の実施形態は本発明を限定するのではなく、例示するものであり、当業者が、同時提出の特許請求の範囲における範囲から逸脱することなく、多くの代替の実施形態を設計することができることに留意する必要がある。表現“を有する”及びその表現の派生の表現は、請求項に記載されている要素又は段階以外の要素又は段階の存在を排除するものではない。要素の単数表現はそのような要素の複数の存在を排除するものではない。本発明は、幾つかの別個の要素を有するハードウェア及び適切にプログラムされたコンピュータにより実行されることが可能である。幾つかの手段を列挙している装置請求項においては、それらの手段の幾つかは、ハードウェアと全く同一のアイテムにより実施されることが可能である。特定の手段が相互に異なる独立請求項において列挙されているということのみによりそれらの手段の組み合わせが有利に用いられることができないことを示すものではない。
【００３６】
本発明は、特に、画像情報の処理がデータ依存性信号を演算するためにのみなされることに基づき、特に、データ非依存性信号が表示されるデータに依存せず、それ故、画像情報の処理中に予め生成され且つ供給されることができることに基づいている。
【００３７】
本発明は、特に、比較的短い画像更新時間を有する電気泳動表示ユニットを備えることにより問題を解決し、特に、より短い全画像更新時間において、画像品質が維持され、更に向上される（用いられる波形に依存して）点で、優位性を有する。
【図面の簡単な説明】
【００３８】
【図１】画素を示す断面図である。
【図２】電気泳動ディスプレイユニットを示す図である。
【図３】第１の従来技術の波形と本発明に従った第１波形とを示す図である。
【図４】第２の従来技術の波形と本発明に従った第２波形とを示す図である。
【図５】第１の従来技術の波形と本発明に従った第３波形とを示す図である。
【図６】第１の従来技術の波形と本発明に従った第４波形とを示す図である。
【図１】
2006526802.tif 000003
【図２】
2006526802.tif 000004
【図３】
2006526802.tif 000005
【図４】
2006526802.tif 000006
【図５】
2006526802.tif 000007
【図６】
2006526802.tif 000008
【国際調査報告】
2006526802.tif 000009
2006526802.tif 000010